【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
印刷処理に関する情報を受け付け、受け付けた複数の印刷処理に関する情報を管理制御する印刷制御装置であって、
受け付けた印刷処理に関する情報から、該印刷処理に関する情報を印刷処理する場合に必要な用紙情報を抽出し、ジョブ情報管理テーブルに登録して管理するジョブ情報管理手段と、
前記印刷処理に関する情報を印刷処理する印刷装置に装着されている各カセットの用紙情報を取得し、デバイス情報管理テーブルに登録して管理するデバイス情報管理手段と、
前記ジョブ情報管理手段によりジョブ情報管理テーブルに管理されている複数の印刷処理に関する情報のそれぞれに対する必要な用紙情報と前記デバイス情報管理手段によりデバイス情報管理テーブルに管理されている各カセットの用紙情報とから、前記印刷装置に給紙が必要であるかを判断する給紙判断手段と、
前記給紙判断手段により給紙が必要であると判断された場合に、前記複数の印刷処理に関する情報の印刷順序に基づく給紙時期を決定する給紙時期決定手段と、
現時点が前記給紙時期となったか否かを判定する給紙時期判定手段と、
前記給紙時期判定手段によって前記給紙時期となったとの判定がされた場合、前記給紙の指示を通知する通知手段と
を備えたことを特徴とする印刷制御装置。
【請求項２】
前記給紙時期決定手段は、
前記複数の印刷処理に関する情報に基づいて、後の印刷処理と同じ給紙装置を使用する先の印刷処理が終了してから、前記後の印刷処理の開始までに前記給紙を行うように給紙時期を決定する
ことを特徴とする請求項１に記載の印刷制御装置。
【請求項３】
印刷処理毎に各印刷処理の第１の処理情報を記憶するための第１の記憶手段と、
印刷装置の情報と、該印刷装置で処理すべき印刷処理毎に各印刷処理の第２の処理情報とを記憶するための第２の記憶手段と、
新たな印刷処理に関する情報を受け付け、当該受け付けた情報から前記新たな印刷処理の第１の処理情報を取得し、当該取得した第１の処理情報を前記第１の記憶手段に記憶する印刷処理情報取得手段と、
印刷装置の情報を取得し、当該取得した印刷装置の情報を前記第２の記憶手段に記憶する印刷装置情報取得手段と、
前記印刷処理情報取得手段によって記憶した前記第１の処理情報に関連する、前記新たな印刷処理の第２の処理情報を、前記印刷装置情報取得手段によって記憶した前記印刷装置の情報と関連付けて、前記第２の記憶手段に追加する処理情報追加手段と、
前記処理情報追加手段によって追加された前記第２の処理情報に関連した前記新たな印刷処理の第１の処理情報に含まれる用紙の情報と、該第２の処理情報に関連付けられた印刷装置の情報に含まれる用紙の情報とを対比し、前記新たな印刷処理のための給紙が必要か否かを判定する給紙判定手段と、
前記給紙判定手段によって前記給紙が必要と判定された場合に、前記第１の記憶手段に記憶された各印刷処理の第１の処理情報と、前記第２の記憶手段に記憶された各印刷処理の第２の処理情報とに基づいて、前記新たな印刷処理の開始までに前記給紙を行うように給紙時期を決定し、当該決定した給紙時期を前記新たな印刷処理の第２の処理情報に含めて前記第２の記憶手段に追加する給紙時期決定手段と、
現時点が前記給紙時期となったか否かを判定する給紙時期判定手段と、
前記給紙時期判定手段によって前記給紙時期となったとの判定がされた場合、前記給紙の指示を通知する通知手段と
を備えたことを特徴とする印刷制御装置。
【請求項４】
前記給紙時期決定手段は、
前記新たな印刷処理と同じ給紙装置を使用する印刷処理が終了してから、前記新たな印刷処理の開始までに前記給紙を行うように給紙時期を決定する
ことを特徴とする請求項３に記載の印刷制御装置。
【請求項５】
前記第２の記憶手段を印刷装置に対応して複数備え、
前記印刷装置情報取得手段は、取得した印刷装置の情報を該印刷装置に対応する前記第２の記憶手段に記憶し、
前記処理情報追加手段は、前記新たな印刷処理の第２の処理情報を、前記印刷装置情報取得手段によって記憶した前記印刷装置の情報と関連付けて、該印刷装置に対応する前記第２の記憶手段に追加し、
前記給紙時期決定手段は、前記第１の記憶手段に記憶された各印刷処理の第１の処理情報と、前記印刷処理情報取得手段によって記憶した前記第１の処理情報に関連する前記第２の処理情報が追加された、前記第２の記憶手段に記憶されている各印刷処理の第２の処理情報とに基づいて、前記給紙時期を決定する
ことを特徴とする請求項３または４に記載の印刷制御装置。
【請求項６】
前記給紙時期決定手段によって決定した前記給紙時期について、異なる印刷装置に対応する前記第２の記憶手段に追加された第２の処理情報に含まれる前記給紙時期を互いに比較し、重なる時期を判定し、前記異なる印刷装置に対応する前記第２の記憶手段の各々に関して、追加された第２の処理情報に含まれる前記給紙時期を前記重なる時期に書き換える給紙時期比較手段をさらに備え、
前記通知手段は、前記異なる印刷装置の各々に対応する前記給紙の指示をまとめて通知する
ことを特徴とする請求項５に記載の印刷制御装置。
【請求項７】
請求項１乃至６のいずれかに記載の印刷制御装置と、前記印刷制御装置へ印刷処理に関する情報を送信するコンピュータシステムと、該コンピュータシステムから送信された印刷処理に関する情報に基づく印刷を前記印刷制御装置の指示で行う１つ以上の印刷装置とが、通信ネットワークを介して接続されている印刷制御システム。
【請求項８】
印刷処理に関する情報を受け付け、受け付けた複数の印刷処理に関する情報を管理制御する印刷制御装置の印刷制御方法であって、
受け付けた印刷処理に関する情報から、該印刷処理に関する情報を印刷処理する場合に必要な用紙情報を抽出し、ジョブ情報管理テーブルに登録して管理するジョブ情報管理ステップと、
前記印刷処理に関する情報を印刷処理する印刷装置に装着されている各カセットの用紙情報を取得し、デバイス情報管理テーブルに登録して管理するデバイス情報管理ステップと、
前記ジョブ情報管理ステップにおいてジョブ情報管理テーブルに管理されている複数の印刷処理に関する情報のそれぞれに対する必要な用紙情報と前記デバイス情報管理ステップにおいてデバイス情報管理テーブルに管理されている各カセットの用紙情報とから、前記印刷装置に給紙が必要であるかを判断する給紙判断ステップと、
前記給紙判断ステップにおいて給紙が必要であると判断された場合に、前記複数の印刷処理に関する情報の印刷順序に基づく給紙時期を決定する給紙時期決定ステップと、
現時点が前記給紙時期となったか否かを判定する給紙時期判定ステップと、
前記給紙時期判定ステップにおいて前記給紙時期となったとの判定がされた場合、前記給紙の指示を通知する通知ステップと
を備えることを特徴とする印刷制御方法。
【請求項９】
前記給紙時期決定ステップは、
前記複数の印刷処理に関する情報に基づいて、後の印刷処理と同じ給紙装置を使用する先の印刷処理が終了してから、前記後の印刷処理の開始までに前記給紙を行うように給紙時期を決定する
ことを特徴とする請求項８に記載の印刷制御方法。
【請求項１０】
印刷処理毎に各印刷処理の第１の処理情報を記憶するための第１の記憶手段と、印刷装置の情報と、該印刷装置で処理すべき印刷処理毎に各印刷処理の第２の処理情報とを記憶するための第２の記憶手段とを有する印刷制御装置の印刷制御方法であって、
新たな印刷処理に関する情報を受け付け、当該受け付けた情報から前記新たな印刷処理の第１の処理情報を取得し、当該取得した第１の処理情報を前記第１の記憶手段に記憶する印刷処理情報取得ステップと、
印刷装置の情報を取得し、当該取得した印刷装置の情報を前記第２の記憶手段に記憶する印刷装置情報取得ステップと、
前記印刷処理情報取得ステップにおいて記憶した前記第１の処理情報に関連する、前記新たな印刷処理の第２の処理情報を、前記印刷装置情報取得ステップにおいて記憶した前記印刷装置の情報と関連付けて、前記第２の記憶手段に追加する処理情報追加ステップと、
前記処理情報追加ステップにおいて追加された前記第２の処理情報に関連した前記新たな印刷処理の第１の処理情報に含まれる用紙の情報と、該第２の処理情報に関連付けられた印刷装置の情報に含まれる用紙の情報とを対比し、前記新たな印刷処理のための給紙が必要か否かを判定する給紙判定ステップと、
前記給紙判定ステップにおいて前記給紙が必要と判定された場合に、前記第１の記憶手段に記憶された各印刷処理の第１の処理情報と、前記第２の記憶手段に記憶された各印刷処理の第２の処理情報とに基づいて、前記新たな印刷処理の開始までに前記給紙を行うように給紙時期を決定し、当該決定した給紙時期を前記新たな印刷処理の第２の処理情報に含めて前記第２の記憶手段に追加する給紙時期決定ステップと、
現時点が前記給紙時期となったか否かを判定する給紙時期判定ステップと、
前記給紙時期判定ステップにおいて前記給紙時期となったとの判定がされた場合、前記給紙の指示を通知する通知ステップと
を備えることを特徴とする印刷制御装置の印刷制御方法。
【請求項１１】
前記給紙時期決定ステップは、
前記新たな印刷処理と同じ給紙装置を使用する印刷処理が終了してから、前記新たな印刷処理の開始までに前記給紙を行うように給紙時期を決定する
ことを特徴とする請求項１０に記載の印刷制御装置の印刷制御方法。
【請求項１２】
前記印刷制御装置は、前記第２の記憶手段を印刷装置に対応して複数備え、
前記印刷装置情報取得ステップは、取得した印刷装置の情報を該印刷装置に対応する前記第２の記憶手段に記憶し、
前記処理情報追加ステップは、前記新たな印刷処理の第２の処理情報を、前記印刷装置情報取得ステップにおいて記憶した前記印刷装置の情報と関連付けて、該印刷装置に対応する前記第２の記憶手段に追加し、
前記給紙時期決定ステップは、前記第１の記憶手段に記憶された各印刷処理の第１の処理情報と、前記印刷処理情報取得ステップにおいて記憶した前記第１の処理情報に関連する前記第２の処理情報が追加された、前記第２の記憶手段に記憶されている各印刷処理の第２の処理情報とに基づいて、前記給紙時期を決定する
ことを特徴とする請求項１０または１１に記載の印刷制御装置の印刷制御方法。
【請求項１３】
前記給紙時期決定ステップにおいて決定した前記給紙時期について、異なる印刷装置に対応する前記第２の記憶手段に追加された第２の処理情報に含まれる前記給紙時期を互いに比較し、重なる時期を判定し、前記異なる印刷装置に対応する前記第２の記憶手段の各々に関して、追加された第２の処理情報に含まれる前記給紙時期を前記重なる時期に書き換える給紙時期比較ステップをさらに備え、
前記通知ステップは、前記異なる印刷装置の各々に対応する前記給紙の指示をまとめて通知する
ことを特徴とする請求項１２に記載の印刷制御装置の印刷制御方法。
【請求項１４】
印刷処理に関する情報を受け付け、受け付けた複数の印刷処理に関する情報を管理制御する印刷制御装置の印刷制御方法をコンピュータに実行させるためのプログラムであって、
受け付けた印刷処理に関する情報から、該印刷処理に関する情報を印刷処理する場合に必要な用紙情報を抽出し、ジョブ情報管理テーブルに登録して管理するジョブ情報管理ステップと、
前記印刷処理に関する情報を印刷処理する印刷装置に装着されている各カセットの用紙情報を取得し、デバイス情報管理テーブルに登録して管理するデバイス情報管理ステップと、
前記ジョブ情報管理ステップにおいてジョブ情報管理テーブルに管理されている複数の印刷処理に関する情報のそれぞれに対する必要な用紙情報と前記デバイス情報管理ステップにおいてデバイス情報管理テーブルに管理されている各カセットの用紙情報とから、前記印刷装置に給紙が必要であるかを判断する給紙判断ステップと、
前記給紙判断ステップにおいて給紙が必要であると判断された場合に、前記複数の印刷処理に関する情報の印刷順序に基づく給紙時期を決定する給紙時期決定ステップと、
現時点が前記給紙時期となったか否かを判定する給紙時期判定ステップと、
前記給紙時期判定ステップにおいて前記給紙時期となったとの判定がされた場合、前記給紙の指示を通知する通知ステップと
を備えたことを特徴とするプログラム。
【請求項１５】
前記給紙時期決定ステップは、
前記複数の印刷処理に関する情報に基づいて、後の印刷処理と同じ給紙装置を使用する先の印刷処理が終了してから、前記後の印刷処理の開始までに前記給紙を行うように給紙時期を決定する
ことを特徴とする請求項１４に記載のプログラム。
【請求項１６】
印刷処理毎に各印刷処理の第１の処理情報を記憶するための第１の記憶手段と、印刷装置の情報と、該印刷装置で処理すべき印刷処理毎に各印刷処理の第２の処理情報とを記憶するための第２の記憶手段とを有する印刷制御装置の印刷制御方法をコンピュータに実行させるためのプログラムであって、
新たな印刷処理に関する情報を受け付け、当該受け付けた情報から前記新たな印刷処理の第１の処理情報を取得し、当該取得した第１の処理情報を前記第１の記憶手段に記憶する印刷処理情報取得ステップと、
印刷装置の情報を取得し、当該取得した印刷装置の情報を前記第２の記憶手段に記憶する印刷装置情報取得ステップと、
前記印刷処理情報取得ステップにおいて記憶した前記第１の処理情報に関連する、前記新たな印刷処理の第２の処理情報を、前記印刷装置情報取得ステップにおいて記憶した前記印刷装置の情報と関連付けて、前記第２の記憶手段に追加する処理情報追加ステップと、
前記処理情報追加ステップにおいて追加された前記第２の処理情報に関連した前記新たな印刷処理の第１の処理情報に含まれる用紙の情報と、該第２の処理情報に関連付けられた印刷装置の情報に含まれる用紙の情報とを対比し、前記新たな印刷処理のための給紙が必要か否かを判定する給紙判定ステップと、
前記給紙判定ステップにおいて前記給紙が必要と判定された場合に、前記第１の記憶手段に記憶された各印刷処理の第１の処理情報と、前記第２の記憶手段に記憶された各印刷処理の第２の処理情報とに基づいて、前記新たな印刷処理の開始までに前記給紙を行うように給紙時期を決定し、当該決定した給紙時期を前記新たな印刷処理の第２の処理情報に含めて前記第２の記憶手段に追加する給紙時期決定ステップと、
現時点が前記給紙時期となったか否かを判定する給紙時期判定ステップと、
前記給紙時期判定ステップにおいて前記給紙時期となったとの判定がされた場合、前記給紙の指示を通知する通知ステップと
を備えたことを特徴とするプログラム。
【請求項１７】
前記給紙時期決定ステップは、
前記新たな印刷処理と同じ給紙装置を使用する印刷処理が終了してから、前記新たな印刷処理の開始までに前記給紙を行うように給紙時期を決定する
ことを特徴とする請求項１６に記載のプログラム。
【請求項１８】
前記印刷制御装置は、前記第２の記憶手段を印刷装置に対応して複数備え、
前記印刷装置情報取得ステップは、取得した印刷装置の情報を該印刷装置に対応する前記第２の記憶手段に記憶し、
前記処理情報追加ステップは、前記新たな印刷処理の第２の処理情報を、前記印刷装置情報取得ステップにおいて記憶した前記印刷装置の情報と関連付けて、該印刷装置に対応する前記第２の記憶手段に追加し、
前記給紙時期決定ステップは、前記第１の記憶手段に記憶された各印刷処理の第１の処理情報と、前記印刷処理情報取得ステップにおいて記憶した前記第１の処理情報に関連する前記第２の処理情報が追加された、前記第２の記憶手段に記憶されている各印刷処理の第２の処理情報とに基づいて、前記給紙時期を決定する
ことを特徴とする請求項１６または１７に記載のプログラム。
【請求項１９】
前記給紙時期決定ステップにおいて決定した前記給紙時期について、異なる印刷装置に対応する前記第２の記憶手段に追加された第２の処理情報に含まれる前記給紙時期を互いに比較し、重なる時期を判定し、前記異なる印刷装置に対応する前記第２の記憶手段の各々に関して、追加された第２の処理情報に含まれる前記給紙時期を前記重なる時期に書き換える給紙時期比較ステップをさらに備え、
前記通知ステップは、前記異なる印刷装置の各々に対応する前記給紙の指示をまとめて通知する
ことを特徴とする請求項１８に記載のプログラム。
【請求項２０】
印刷処理に関する情報を受け付け、受け付けた複数の印刷処理に関する情報を管理制御する印刷制御装置であって、
受け付けた印刷処理に関する情報から、該印刷処理に関する情報を印刷処理する場合に必要な用紙情報を抽出する抽出手段と、
前記印刷処理に関する情報を印刷処理する印刷装置に装着されている各給紙部の用紙情報を取得する取得手段と、
前記抽出手段により印刷処理に関する情報を印刷処理するのに必要な用紙情報と前記取得手段により取得された各給紙部の用紙情報とから、前記印刷装置に給紙が必要であるかを判断する給紙判断手段と、
前記給紙判断手段により給紙が必要であると判断された場合に、前記印刷処理に関する情報の印刷順序に基づく給紙時期を決定する給紙時期決定手段と、
現時点が前記給紙時期となったか否かを判定する給紙時期判定手段と、
前記給紙時期判定手段によって前記給紙時期となったとの判定がされた場合、前記給紙の指示を通知する通知手段と
を備えたことを特徴とする印刷制御装置。
【請求項２１】
印刷処理に関する情報を受け付け、受け付けた複数の印刷処理に関する情報を管理制御する印刷制御装置の印刷制御方法であって、
受け付けた印刷処理に関する情報から、該印刷処理に関する情報を印刷処理する場合に必要な用紙情報を抽出する抽出ステップと、
前記印刷処理に関する情報を印刷処理する印刷装置に装着されている各給紙部の用紙情報を取得する取得ステップと、
前記抽出ステップにおいて印刷処理に関する情報を印刷処理するのに必要な用紙情報と前記取得ステップにおいて取得された各給紙部の用紙情報とから、前記印刷装置に給紙が必要であるかを判断する給紙判断ステップと、
前記給紙判断ステップにおいて給紙が必要であると判断された場合に、前記印刷処理に関する情報の印刷順序に基づく給紙時期を決定する給紙時期決定ステップと、
現時点が前記給紙時期となったか否かを判定する給紙時期判定ステップと、
前記給紙時期判定ステップにおいて前記給紙時期となったとの判定がされた場合、前記給紙の指示を通知する通知ステップと
を備えることを特徴とする印刷制御方法。
【請求項２２】
印刷処理に関する情報を受け付け、受け付けた複数の印刷処理に関する情報を管理制御する印刷制御装置の印刷制御方法をコンピュータに実行させるためのプログラムであって、
受け付けた印刷処理に関する情報から、該印刷処理に関する情報を印刷処理する場合に必要な用紙情報を抽出する抽出ステップと、
前記印刷処理に関する情報を印刷処理する印刷装置に装着されている各給紙部の用紙情報を取得する取得ステップと、
前記抽出ステップにおいて印刷処理に関する情報を印刷処理するのに必要な用紙情報と前記取得ステップにおいて取得された各給紙部の用紙情報とから、前記印刷装置に給紙が必要であるかを判断する給紙判断ステップと、
前記給紙判断ステップにおいて給紙が必要であると判断された場合に、前記印刷処理に関する情報の印刷順序に基づく給紙時期を決定する給紙時期決定ステップと、
現時点が前記給紙時期となったか否かを判定する給紙時期判定ステップと、
前記給紙時期判定ステップにおいて前記給紙時期となったとの判定がされた場合、前記給紙の指示を通知する通知ステップと
を備えたことを特徴とするプログラム。
【手続補正２】
【補正対象書類名】明細書
【補正対象項目名】００１４
【補正方法】変更
【補正の内容】
【００１４】
また上記目的を達成するために、本発明の印刷制御方法は、印刷処理毎に各印刷処理の第１の処理情報を記憶するための第１の記憶手段と、印刷装置の情報と、該印刷装置で処理すべき印刷処理毎に各印刷処理の第２の処理情報とを記憶するための第２の記憶手段とを有する印刷制御装置の印刷制御方法であって、新たな印刷処理に関する情報を受け付け、当該受け付けた情報から前記新たな印刷処理の第１の処理情報を取得し、当該取得した第１の処理情報を前記第１の記憶手段に記憶する印刷処理情報取得ステップと、印刷装置の情報を取得し、当該取得した印刷装置の情報を前記第２の記憶手段に記憶する印刷装置情報取得ステップと、前記印刷処理情報取得ステップにおいて記憶した前記第１の処理情報に関連する、前記新たな印刷処理の第２の処理情報を、前記印刷装置情報取得ステップにおいて記憶した前記印刷装置の情報と関連付けて、前記第２の記憶手段に追加する処理情報追加ステップと、前記処理情報追加ステップにおいて追加された前記第２の処理情報に関連した前記新たな印刷処理の第１の処理情報に含まれる用紙の情報と、該第２の処理情報に関連付けられた印刷装置の情報に含まれる用紙の情報とを対比し、前記新たな印刷処理のための給紙が必要か否かを判定する給紙判定ステップと、前記給紙判定ステップにおいて前記給紙が必要と判定された場合に、前記第１の記憶手段に記憶された各印刷処理の第１の処理情報と、前記第２の記憶手段に記憶された各印刷処理の第２の処理情報とに基づいて、前記新たな印刷処理の開始までに前記給紙を行うように給紙時期を決定し、当該決定した給紙時期を前記新たな印刷処理の第２の処理情報に含めて前記第２の記憶手段に追加する給紙時期決定ステップと、現時点が前記給紙時期となったか否かを判定する給紙時期判定ステップと、前記給紙時期判定ステップにおいて前記給紙時期となったとの判定がされた場合、前記給紙の指示を通知する通知ステップとを備えることを特徴とする。
また上記目的を達成するために、本発明の印刷制御装置は、印刷処理に関する情報を受け付け、受け付けた複数の印刷処理に関する情報を管理制御する印刷制御装置であって、受け付けた印刷処理に関する情報から、該印刷処理に関する情報を印刷処理する場合に必要な用紙情報を抽出する抽出手段と、前記印刷処理に関する情報を印刷処理する印刷装置に装着されている各給紙部の用紙情報を取得する取得手段と、前記抽出手段により印刷処理に関する情報を印刷処理するのに必要な用紙情報と前記取得手段により取得された各給紙部の用紙情報とから、前記印刷装置に給紙が必要であるかを判断する給紙判断手段と、前記給紙判断手段により給紙が必要であると判断された場合に、前記印刷処理に関する情報の印刷順序に基づく給紙時期を決定する給紙時期決定手段と、現時点が前記給紙時期となったか否かを判定する給紙時期判定手段と、前記給紙時期判定手段によって前記給紙時期となったとの判定がされた場合、前記給紙の指示を通知する通知手段とを備えたことを特徴とする。
また上記目的を達成するために、本発明の印刷制御方法は、印刷処理に関する情報を受け付け、受け付けた複数の印刷処理に関する情報を管理制御する印刷制御装置の印刷制御方法であって、受け付けた印刷処理に関する情報から、該印刷処理に関する情報を印刷処理する場合に必要な用紙情報を抽出する抽出ステップと、前記印刷処理に関する情報を印刷処理する印刷装置に装着されている各給紙部の用紙情報を取得する取得ステップと、前記抽出ステップにおいて印刷処理に関する情報を印刷処理するのに必要な用紙情報と前記取得ステップにおいて取得された各給紙部の用紙情報とから、前記印刷装置に給紙が必要であるかを判断する給紙判断ステップと、前記給紙判断ステップにおいて給紙が必要であると判断された場合に、前記印刷処理に関する情報の印刷順序に基づく給紙時期を決定する給紙時期決定ステップと、現時点が前記給紙時期となったか否かを判定する給紙時期判定ステップと、前記給紙時期判定ステップにおいて前記給紙時期となったとの判定がされた場合、前記給紙の指示を通知する通知ステップとを備えることを特徴とする。